(57)【要約】【課題】取り扱いが容易な使い捨てパンツ型おむつを提供する。【解決手段】ウェスト開口部３と一対の脚開口部４を有するパンツ形状に形成され、前腹部Ｐと後背部Ｑを有するパンツ本体２を有する使い捨てパンツ型おむつ１であって、おむつ１に、幅方向の両側にポケット１４が設けられている。ポケット１４は、例えば、パンツ本体２の外側面に、おむつ幅方向の外方に開口して設けられている。【選択図】図１
2014104291.tif 000002
【特許請求の範囲】
【請求項１】
ウェスト開口部と一対の脚開口部を有するパンツ形状に形成され、前腹部と後背部を有するパンツ本体を有する使い捨てパンツ型おむつであって、
前記おむつには幅方向の両側にポケットが設けられていることを特徴とする使い捨てパンツ型おむつ。
【請求項２】
前記パンツ本体の外側面から延在する左フラップと右フラップが設けられ、
前記左フラップと前記右フラップの内側面に留め具が設けられ、
前記ポケットが、前記左フラップと前記右フラップの外側面に、おむつ幅方向の外方に開口して設けられている請求項１に記載の使い捨てパンツ型おむつ。
【請求項３】
前記ポケットが、前記パンツ本体の外側面に、おむつ幅方向の外方に開口して設けられている請求項１に記載の使い捨てパンツ型おむつ。
【請求項４】
前記ポケットは、開口入口の下端側が封止されている請求項２または３に記載の使い捨てパンツ型おむつ。
【請求項５】
前記ポケットは、前記パンツ本体または前記左フラップと前記右フラップを構成するシート部材よりも高い剛性を有するシート部材から形成されている請求項２〜４のいずれか一項に記載の使い捨てパンツ型おむつ。
【請求項６】
前記ポケットの内面に、おむつの外部に連通する通気孔が形成されている請求項１〜５のいずれか一項に記載の使い捨てパンツ型おむつ。
【請求項７】
前記ポケットは、ポケットの開口縁から内側または外側に折り返されて延在する折り返し縁部を有する請求項１〜６のいずれか一項に記載の使い捨てパンツ型おむつ。
【請求項８】
前記ポケットは、それ以外の部分と異なる色で示されている請求項１〜７のいずれか一項に記載の使い捨てパンツ型おむつ。
【発明の詳細な説明】
【技術分野】
【０００１】
本発明は、パンツ形状に形成された使い捨てパンツ型おむつに関するものである。
【背景技術】
【０００２】
従来、パンツ形状に形成された使い捨てパンツ型おむつが広く知られている。また、使い捨てパンツ型おむつの腰周りのサイズ調整を行うことを目的として、特許文献１には、おむつの幅方向の両側に、おむつの外側面から延在するフラップ（係止片）が設けられた使い捨てパンツ型おむつが開示されている。特許文献１に開示された使い捨てパンツ型おむつでは、フラップの自由端側をおむつの外側面に止着して着用者の腰周りで締めることにより、おむつの腰周りのサイズを、着用者に合わせて調整することができる。
【先行技術文献】
【特許文献】
【０００３】
【特許文献１】特開２００８−２９７６１号公報
【発明の概要】
【発明が解決しようとする課題】
【０００４】
ところで、高齢者等が使い捨てパンツ型おむつを扱う際、手先を思うように動かせずに、使い捨てパンツ型おむつの取り扱いに苦労する場合がある。本発明は前記事情に鑑みてなされたものであり、その目的は、取り扱いが容易な使い捨てパンツ型おむつを提供することにある。
【課題を解決するための手段】
【０００５】
前記課題を解決することができた本発明の使い捨てパンツ型おむつとは、ウェスト開口部と一対の脚開口部を有するパンツ形状に形成され、前腹部と後背部を有するパンツ本体を有する使い捨てパンツ型おむつであって、おむつに、幅方向の両側にポケットが設けられているところに特徴を有する。本発明の使い捨てパンツ型おむつは幅方向の両側にポケットが設けられているため、おむつを装着する際やおむつを着用した状態でポケットに指を入れておむつを取り扱うことにより、手先の不自由な高齢者等でも簡単におむつを取り扱うことができる。
【０００６】
本発明の使い捨てパンツ型おむつとしては、例えば、パンツ本体の外側面から延在する左フラップと右フラップが設けられ、左フラップと右フラップの内側面に留め具が設けられ、ポケットが、左フラップと右フラップの外側面に、おむつ幅方向の外方に開口して設けられているものが挙げられる。使い捨てパンツ型おむつに左右フラップが設けられていれば、パンツ本体を装着した後に左右フラップを着用者の腰周りで締めることで、おむつのフィット性を高めることができる。このとき、左右フラップの外側面にポケットが設けられていれば、ポケットに指を入れることで、左右フラップを簡単に扱えるようになる。
【０００７】
本発明の使い捨てパンツ型おむつはまた、ポケットが、パンツ本体の外側面に、おむつ幅方向の外方に開口して設けられているものでもよい。パンツ本体の外側面にポケットが設けられていれば、ポケットに指を入れておむつを取り扱うことで、簡単におむつを装着することができるようになったり、おむつを着用した状態で、おむつの装着状態を簡単に調整することができるようになる。
【０００８】
ポケットは、開口入口の下端側が封止されていることが好ましい。ポケットの開口入口の下端側が封止されていれば、ポケットに挿入した指がポケットの下端部で引っ掛かって、ポケットに指を入れた状態でおむつを取り扱いやすくなる。
【０００９】
ポケットは、パンツ本体または左フラップと右フラップを構成するシート部材よりも高い剛性を有するシート部材から形成されていることが好ましい。このようにポケットが形成されていれば、ポケットに指を挿入しやすくなったり、指を挿入した状態でのおむつの取り扱い性が向上する。
【００１０】
ポケットの内面には、おむつの外部に連通する通気孔が形成されていることが好ましい。ポケットの内面に通気孔が形成されていれば、おむつの上からズボン等の衣類を着用した際に、ポケットの開口入口が圧迫されて閉じてしまっても、ポケット内部に溜まった空気が通気孔から排出され、ズボン等の衣類を着用した際の着用感や見た目が向上する。
【００１１】
ポケットは、ポケットの開口縁から内側または外側に折り返されて延在する折り返し縁部を有することが好ましい。ポケットに折り返し縁部が設けられていれば、ポケットの開口縁での剛性が高まって、ポケットに指を挿入しやすくなり、またポケットに指を挿入した状態でおむつを取り扱いやすくなる。
【００１２】
ポケットは、それ以外の部分と異なる色で示されていることが好ましい。このようにポケットが構成されていれば、視力の弱い高齢者等でもポケットを容易に認識することができ、おむつの取り扱い性が向上する。
【発明の効果】
【００１３】
本発明の使い捨てパンツ型おむつは、幅方向の両側にポケットが設けられているため、おむつを装着する際やおむつを着用した状態でポケットに指を入れておむつを取り扱うことにより、手先の不自由な高齢者等でも簡単におむつを取り扱うことができる。
【図面の簡単な説明】
【００１４】
【図１】本発明の使い捨てパンツ型おむつの一例を表し、使い捨てパンツ型おむつの正面斜視図を表す。
【図２】図１に示した使い捨てパンツ型おむつの前腹部と後背部の接合を解いて展開した状態の平面図を表す。
【図３】図２に示した使い捨てパンツ型おむつのＩＩＩ−ＩＩＩ断面図を表す。
【図４】本発明の使い捨てパンツ型おむつの他の例を表し、使い捨てパンツ型おむつの使用状態の正面斜視図を表す。
【図５】図４に示した使い捨てパンツ型おむつの左右フラップを展開した状態の正面斜視図を表す。
【図６】図４に示した使い捨てパンツ型おむつの前腹部と後背部の接合を解いて展開した状態の平面図を表す。
【図７】図４に示した使い捨てパンツ型おむつの左右フラップを重ね合わせて使用する状態の正面斜視図を表す。
【図８】図４に示した使い捨てパンツ型おむつの左右フラップを外側面から見た平面図を表す。
【図９】図８に示した右フラップのＩＸ−ＩＸ断面図を表す。
【図１０】左右フラップに設けられるポケットの変形例を表す。
【発明を実施するための形態】
【００１５】
本発明は、パンツ形状に形成されたパンツ本体を有する使い捨てパンツ型おむつに関するものである。本発明の使い捨てパンツ型おむつには幅方向の両側にポケットが設けられており、おむつを装着する際やおむつを着用した状態でポケットに指を入れておむつを取り扱うことにより、手先の不自由な高齢者等でも簡単におむつを取り扱うことができる。
【００１６】
パンツ本体は、ウェスト開口部と一対の脚開口部を有するパンツ形状に形成されている。ウェスト開口部は着用者の胴を通すための開口であり、ウェスト開口縁によりウェスト開口部が規定される。脚開口部は着用者の脚を通すための開口であり、脚開口縁により脚開口部が規定される。
【００１７】
パンツ本体は、前腹部と後背部を有する。前腹部はおむつを着用の際に着用者の腹側に当てる部分に相当し、後背部はおむつを着用の際に着用者の背側に当てる部分に相当する。前腹部と後背部の間には、着用者の股間に当てる股部が設けられ、股部の幅方向の両側に脚開口部が形成される。
【００１８】
本発明の使い捨てパンツ型おむつには幅方向の両側にポケットが設けられている。ポケットは、指を挿入できる袋状に形成されたものであれば、特に制限はない。
【００１９】
本発明において、幅方向とは、おむつを着用した際の着用者の左右方向に相当する。前後方向とは、使い捨てパンツ型おむつの前腹部から後背部にかけての方向を意味し、おむつを着用した際の着用者の股間の前後方向に相当する。使い捨てパンツ型おむつは、パンツ形状に形成された状態で、ウェスト開口縁側を上方、股部側を下方と称する。なお下記において、前記前後方向を「おむつ前後方向」と称し、前記幅方向を「おむつ幅方向」と称する場合がある。また、使い捨てパンツ型おむつの内側とは、おむつを着用の際に着用者の肌に面する側を意味し、使い捨てパンツ型おむつの外側とは、おむつを着用の際に外側に面する側を意味する。
【００２０】
ポケットは、指を挿入するための開口入口を有する。なおポケットは、着用者や介護者等が指を挿入しておむつを取り扱いやすくするために、開口入口が使い捨てパンツ型おむつの外側面にあるように設けられることが好ましい。またポケットは、おむつの前腹部側に設けられることが好ましい。
【００２１】
ポケットは、おむつ幅方向の外方に開口するように設けられることが好ましい。このようにポケットが設けられていれば、着用者や介護者等がポケットに指を挿入しやすくなる。なお、ポケットはおむつ幅方向に対して斜め外方に開口していてもよく、本発明ではこのような場合もポケットがおむつ幅方向の外方に開口しているものとする。ポケットの開口入口は、好ましくは次のように設けられる。すなわちポケットは、開口入口の上端と下端とを繋ぐ仮想線に対する垂線（ただし垂線はポケットと同一面上にある）が、おむつ幅方向に対して−６０°〜６０°（好ましくは−４５°〜４５°）の範囲の角度となるように、おむつ幅方向の外方に開口していることが好ましい。なお、ポケットの開口入口の上端と下端は、平面状態のポケットに対して規定される。
【００２２】
ポケットの開口は、指を２本以上挿入可能であることが好ましい。この点から、ポケットの開口入口の幅は４０ｍｍ以上であることが好ましく、５０ｍｍ以上がより好ましい。一方、ポケットの開口入口の幅が広すぎてもおむつの取り扱い性が低下するおそれがあることから、ポケットの開口入口の幅は２００ｍｍ以下が好ましく、１６０ｍｍ以下がより好ましい。なお、ポケットの開口入口の幅は、平面状態のポケットに対して測定される。
【００２３】
ポケットの形成方法は特に限定されない。ポケットは、例えば、パンツ本体等を構成するシート部材を適宜折り返したり部分的に接合することにより形成される。あるいは、パンツ本体等に、既にポケット形状に形成された部材を取り付けることによりポケットを設けてもよい。なお、ポケットは、指を挿入しやすくしたり、指を挿入した状態でのおむつの取り扱い性を向上するために、ある程度の剛性を有するように形成されることが好ましい。従って、ポケットは、パンツ本体等を構成するシート部材よりも高い剛性を有するシート部材から形成されていることが好ましい。例えば、後述するようにパンツ本体や左右フラップにポケットが設けられる場合は、パンツ本体や左右フラップを構成するシート部材に、これよりも高い剛性を有する別のシート部材を重ねてポケットを形成したり、おむつの外側面に、パンツ本体や左右フラップを構成するシート部材よりも高い剛性を有するシート部材を用いてポケット形状に形成された部材を設けることが好ましい。
【００２４】
以下、本発明の使い捨てパンツ型おむつについて、図面を参照して詳細に説明する。なお本発明の使い捨てパンツ型おむつは、図面に示された実施態様に限定されるものではない。
【００２５】
図１〜図３には、本発明の使い捨てパンツ型おむつの一例を示す。図１は使い捨てパンツ型おむつの正面斜視図を表す。図２は、図１に示した使い捨てパンツ型おむつの前腹部と後背部の接合を解いて展開した状態の平面図を表す。図３は、図２に示した使い捨てパンツ型おむつのＩＩＩ−ＩＩＩ断面図を表す。
【００２６】
図１〜図３に示した使い捨てパンツ型おむつ１（１Ａ）は、ウェスト開口部３と一対の脚開口部４を有するパンツ形状に形成されたパンツ本体２を有する。パンツ本体２は、前腹部Ｐと後背部Ｑとこれらの間に位置する股部Ｒとを有し、例えば、前腹部Ｐと後背部Ｑとが接合部１３で接合されることによりウェスト開口部３と一対の脚開口部４とが形成される。股部Ｒは、例えば、パンツ本体２の前腹部Ｐと後背部Ｑとの接合を解いて平面に展開した状態で、パンツ本体２を前後方向に３分割した中間に位置する部分であり、パンツ形状に形成された場合におむつ幅方向の両側で互いに接合されない。
【００２７】
パンツ本体２は、吸収性コア６を備えることが好ましい。吸収性コア６は、パンツ本体２の少なくとも股部Ｒに存在すればよく、さらに前腹部Ｐおよび／または後背部Ｑに延在してもよい。
【００２８】
吸収性コア６の形状（平面形状）は特に限定されない。吸収性コア６の形状は、用途に応じて適宜決定すればよく、例えば、略長方形、砂時計型、ひょうたん型、羽子板型等が挙げられる。
【００２９】
パンツ本体２は、図２および図３に示すように、例えば、前側帯状部材９と、後側帯状部材１０と、トップシート７とバックシート８との間に吸収性コア６が挟み込まれた吸収性本体５とを有し、前側帯状部材９と後側帯状部材１０の内側面に、前側帯状部材９と後側帯状部材１０を繋ぐように吸収性本体５が設けられて構成される。この場合、前側帯状部材９とそれに重なる吸収性本体５の一部が前腹部Ｐを構成し、後側帯状部材１０とそれに重なる吸収性本体５の一部が後背部Ｑを構成し、前側帯状部材９と後側帯状部材１０のいずれにも重ならない吸収性本体５の一部が股部Ｒを構成することとなる。また図面には示されていないが、パンツ本体は、トップシートとバックシートとの間に吸収性コアが挟み込まれた積層体からなり、この積層体がパンツ形状に形成されて構成されてもよく、あるいはパンツ本体は、パンツ形状に形成された外装シートと、外装シートの内側面に、トップシートとバックシートとの間に吸収性コアが挟み込まれた吸収性本体が設けられて構成されてもよい。
【００３０】
吸収性コア６の幅方向の両側には、立ち上がりフラップ１１が設けられることが好ましい。立ち上がりフラップ１１を設けることにより、尿等の排泄物の横漏れを防ぐことができる。立ち上がりフラップ１１は、液不透過性であることが好ましい。
【００３１】
立ち上がりフラップ１１が立ち上がった状態の上側端部（着用者側の端部）には、起立用弾性部材１２が設けられていることが好ましい。起立用弾性部材１２の収縮力により、立ち上がりフラップ１１が起立しやすくなる。
【００３２】
使い捨てパンツ型おむつ１Ａには、パンツ本体２の外側面にポケット１４が設けられている。パンツ本体２の外側面にポケット１４が設けられていれば、ポケット１４に指を入れておむつを取り扱うことで、手先の不自由な高齢者等でも簡単におむつを装着することができるようになる。また、おむつを着用した状態で、おむつの装着状態を簡単に調整することができるようになる。
【００３３】
ポケット１４は、おむつ幅方向の外方に開口して設けられていることが好ましい。このようにポケット１４が設けられていれば、着用者や介護者等がポケット１４に指を挿入しやすくなり、おむつの取り扱い性が向上する。なお、ポケット１４の開口入口は開口縁１５により規定される。
【００３４】
パンツ本体２にポケット１４が設けられる場合、ポケット１４はパンツ本体２を構成するシート部材よりも高い剛性を有するシート部材から形成されていることが好ましい。使い捨てパンツ型おむつ１Ａでは、パンツ本体２を構成するシート部材よりも高い剛性を有するシート部材を用いてポケット形状に形成されたポケット１４が、パンツ本体２の外側面に設けられている。
【００３５】
次に、図１〜図３に示したおむつとは異なる態様の使い捨てパンツ型おむつについて、図４〜図７を参照しながら説明する。図４〜図７に示した使い捨てパンツ型おむつは、パンツ本体にポケットを設ける代わりに、パンツ本体の外側面から延在した左右フラップにポケットが設けられたものである。なお下記の説明において、パンツ本体に係る説明は、パンツ本体に設けられたポケットを除いて上記と同じであるため、説明を省略する。
【００３６】
図４は使い捨てパンツ型おむつの使用状態の正面斜視図を表す。図５は、図４に示した使い捨てパンツ型おむつの左右フラップを展開した状態の正面斜視図を表す。図６は、図４に示した使い捨てパンツ型おむつの前腹部と後背部の接合を解いて展開した状態の平面図を表す。図７は、図４に示した使い捨てパンツ型おむつの左右フラップを重ね合わせて使用する状態の正面斜視図を表す。
【００３７】
図４〜図７に示した使い捨てパンツ型おむつ１（１Ｂ）は、パンツ本体２の外側面から延在する左フラップ２１と右フラップ２２が設けられている。左フラップ２１と右フラップ２２は使い捨てパンツ型おむつ１Ｂの幅方向の両側に設けられ、おむつを着用した状態で、左フラップ２１は着用者の左側に設けられ、右フラップ２２は着用者の右側に設けられる。なお、以下の説明において、左フラップと右フラップをまとめて「左右フラップ」と称する場合がある。
【００３８】
左右フラップ２１，２２は、パンツ本体２の左側または右側の外側面から延出し、図４に示すように、パンツ本体２の前腹部Ｐに重ねて使用される。左右フラップ２１，２２は、パンツ本体２の外側面から延出する基点となる基部Ｓと、左右フラップ２１，２２が延出した先端に相当する自由端Ｔを有する。左右フラップ２１，２２の基部Ｓは、パンツ本体２の前腹部Ｐにあってもよく、後背部Ｑにあってもよく、前腹部Ｐと後背部Ｑの境界（前腹部Ｐと後背部Ｑの間）にあってもよい。すなわち、左右フラップ２１，２２は、前腹部Ｐから延在してもよく、後背部Ｑから延在してもよく、前腹部Ｐと後背部Ｑの境界から延在してもよい。なお、着用者がパンツ本体２を装着した状態で左右フラップ２１，２２を掴みやすくする点から、左右フラップ２１，２２はパンツ本体２の前腹部Ｐの外側面から延在していることが好ましい。また、おむつの製造が容易になる点から、左右フラップ２１，２２は、図４に示すように、前腹部Ｐと後背部Ｑとがおむつ幅方向の両側で互いに接合された接合部１３に固定されていることが好ましい。この場合、前腹部Ｐと後背部Ｑとを接合部１３で接合してパンツ形状に形成する際に、左右フラップ２１，２２も同時に接合部１３に固定することができるようになる。
【００３９】
使い捨てパンツ型おむつ１Ｂには、左右フラップ２１，２２の内側面に留め具２３が設けられている。使い捨てパンツ型おむつ１Ｂは、留め具２３により左右フラップ２１，２２を前腹部Ｐ側で止着できるように構成されている。なお、左右フラップ２１，２２の内側面は、左右フラップ２１，２２をパンツ本体２の前腹部Ｐに重ね合わせた状態で規定される。使い捨てパンツ型おむつ１Ｂはこのように構成された左右フラップ２１，２２が設けられているため、パンツ本体２を装着した後に左右フラップ２１，２２を着用者の腰周りで締めることで、おむつのフィット性を高めることができる。
【００４０】
留め具２３は左右フラップ２１，２２の自由端Ｔの近傍に設けられることが好ましい。例えば留め具２３は、左右フラップ２１，２２の基部Ｓよりも自由端Ｔの近くに設けられることが好ましい。
【００４１】
左フラップ２１と右フラップ２２は、留め具２３によって、図４に示すように、パンツ本体２の前腹部Ｐの外側面に止着可能に形成される。あるいは図７に示すように、左フラップ２１と右フラップ２２が互いに重ね合わされ、左フラップ２１と右フラップ２２が、留め具２３によって、左フラップ２１と右フラップ２２の一方が他方に止着可能に形成されてもよい。なお後者の場合でも、重ね合わされた左フラップ２１と右フラップ２２のうち内側に位置する左フラップ２１または右フラップ２２は、パンツ本体２の前腹部Ｐの外側面に止着可能に形成されることが好ましい。特に、左右フラップ２１，２２が、パンツ本体２の前腹部Ｐに止着可能に形成されるとともに、左フラップ２１と右フラップ２２の一方が他方に止着可能に形成されていれば、左右フラップ２１，２２を着用者の腰周りで締めることにより、様々な体型の着用者に対しておむつのフィット性を効果的に高めることができるようになる。
【００４２】
留め具２３としては、フック・ループ・ファスナーのフック部材やループ部材、粘着剤（例えば、粘着テープ、粘着剤層）、フック（例えば、金属製のフックやプラスチック製のフック）等を用いればよい。留め具としてフック・ループ・ファスナーのフック部材を用いる場合は、パンツ本体の前腹部の外側面および／または左右フラップの外側面にフック・ループ・ファスナーのループ部材を設ければよい。あるいは、パンツ本体の前腹部の外側面および／または左右フラップの外側面をループ部材として機能する材料（例えば、不織布、織布、編布等）で構成してもよく、この場合も、パンツ本体の前腹部の外側面および／または左右フラップの外側面にループ部材が設けられるものと見なされる。留め具として粘着剤を用いる場合は、パンツ本体の前腹部の外側面および／または左右フラップの外側面にプラスチックフィルムを設けたり、パンツ本体の前腹部の外側面および／または左右フラップの外側面をプラスチックフィルムで構成すればよい。留め具としてフックを用いる場合は、パンツ本体の前腹部の外側面および／または左右フラップの外側面にフックが係合可能なループ形状の部材を設ければよい。この場合、ループ形状の部材を複数設け、着用者の体型に合わせてフックの係合箇所が調整可能となることが好ましい。これらの中でも、留め具としては、フック・ループ・ファスナーのフック部材を用いることが好ましい。フック・ループ・ファスナーのフック部材としては、例えば、錨形や鉤形やきのこ型等の形状のフックを多数表面に有する部材を採用すればよい。
【００４３】
左右フラップ２１，２２は、着用者の腰周りで好適に締めることができるように、おむつ幅方向にある程度の長さを有していることが好ましい。この点から、左右フラップ２１，２２はそれぞれ、おむつ幅方向に対する長さが８０ｍｍ以上であることが好ましく、１２０ｍｍ以上であることがより好ましい。一方、左右フラップ２１，２２のおむつ幅方向に対する長さが長すぎても、左右フラップ２１，２２の操作性が低下したり、左右フラップ２１，２２が邪魔になるおそれがあることから、左右フラップ２１，２２はそれぞれ、おむつ幅方向に対する長さが３５０ｍｍ以下であることが好ましく、３００ｍｍ以下であることがより好ましい。なお、後述するように左右フラップ２１，２２に弾性部材が設けられる場合は、左右フラップ２１，２２のおむつ幅方向に対する長さは、弾性部材が収縮した状態で測定する。
【００４４】
左フラップ２１と右フラップ２２は、着用者の腰周りで締めることにより、着用者へのフィット性をより高めることができるように、おむつ前後方向にある程度の長さを有していることが好ましい。この点から、左右フラップ２１，２２はおむつ前後方向に対する長さが４０ｍｍ以上であることが好ましく、５０ｍｍ以上であることがより好ましい。一方、左右フラップ２１，２２のおむつ前後方向に対する長さが長すぎても、左右フラップ２１，２２の操作性が低下したり、左右フラップ２１，２２が邪魔になるおそれがあることから、左右フラップ２１，２２はおむつ前後方向に対する長さが２５０ｍｍ以下であることが好ましく、２００ｍｍ以下であることがより好ましい。なお、後述するように左右フラップ２１，２２に弾性部材が設けられる場合は、左右フラップ２１，２２のおむつ前後方向に対する長さは、弾性部材が収縮した状態で測定する。
【００４５】
使い捨てパンツ型おむつ１Ｂには、左右フラップ２１，２２の取り扱い性を高めるために、左右フラップ２１，２２の外側面に、おむつ幅方向の外方に開口するポケット２４が設けられている。左右フラップ２１，２２の外側面にポケット２４が設けられていれば、ポケット２４に指を入れて左右フラップ２１，２２を扱うことができ、手先の不自由な高齢者等でも簡単に左右フラップ２１，２２を扱えるようになる。
【００４６】
ポケット２４は、開口入口が開口縁２５によって規定され、開口入口は、ポケット２４において、左右フラップ２１，２２の基部Ｓ側に設けられている。すなわち、ポケット２４はおむつ幅方向の外方（左右フラップ２１，２２の基部Ｓ側）に開口するように設けられている。なお、ポケット２４の開口の方向は、左右フラップ２１，２２がパンツ本体２の前腹部Ｐに重ねられた状態に基づいて規定される。
【００４７】
ポケット２４は左右フラップ２１，２２の自由端Ｔの近傍に設けられることが好ましい。例えばポケット２４は、開口入口（開口縁２５）が左右フラップ２１，２２の基部Ｓよりも自由端Ｔの近くに位置するように設けられることが好ましい。また、左フラップ２１，２２において、ポケット２４は留め具２３と重なって設けられることが好ましい。
【００４８】
左右フラップ２１，２２にポケット２４が設けられる場合、ポケット２４の形成方法は特に限定されない。例えば、（１）左右フラップを構成するシート部材を左右フラップの自由端で外側に折り返し、自由端に形成された折り目の両側でシート部材どうしを部分的に接合することによりポケットを形成してもよく、（２）左右フラップの外側面に、左右フラップを構成するシート部材に別のシート部材を重ねて、両シート部材を部分的に接合することによりポケットを形成してもよく、あるいは、（３）左右フラップの外側面に、左右フラップとは別部材で、既にポケット形状に形成された部材を設けてもよい。
【００４９】
左右フラップ２１，２２にポケット２４が設けられる場合、ポケット２４は左右フラップ２１，２２を構成するシート部材よりも高い剛性を有するシート部材から形成されていることが好ましい。使い捨てパンツ型おむつ１Ｂでは、左右フラップ２１，２２を構成するシート部材よりも高い剛性を有するシート部材を用いてポケット形状に形成されたポケット２４が、左右フラップ２１，２２の外側面に設けられている。
【００５０】
左右フラップ２１，２２にポケット２４が設けられ、図７に示すように、左フラップ２１と右フラップ２２が互いに重ね合わすことができるように形成されている場合は、ポケット２４の外側面が留め具２３と止着可能に形成されていることが好ましい。上記に説明したように、留め具２３としてはフック・ループ・ファスナーのフック部材を用いることが好ましいことから、この場合、ポケット２４の外側面にフック・ループ・ファスナーのループ部材が設けられることが好ましい。このようにポケット２４を構成することにより、腰周りの細い着用者であっても、左右フラップ２１，２２を腰周りで簡単に締めることができ、腰周りでのフィット性を効果的に高めることができるようになる。
【００５１】
本発明の使い捨てパンツ型おむつに設けられるポケットについて、図８および図９を参照しながらさらに詳細に説明する。なお下記では、使い捨てパンツ型おむつ１Ｂの左右フラップに設けられたポケットを例に挙げて説明をするが、下記の説明は左右フラップに設けられたポケットに限定されるものではない。図８には、図４に示した使い捨てパンツ型おむつの左右フラップを外側面から見た平面図が示し、図９には、図８に示した右フラップのＩＸ−ＩＸ断面図を示した。
【００５２】
ポケット２４は、指を挿入した際の左右フラップ２１，２２の操作性を高めるために、開口入口の下端側が封止されていることが好ましい。図面では、ポケットを構成するシート部材が重ね合わされて、斜線ハッチングで示された箇所で接合（封止）されている。ポケット２４の開口入口の下端側が封止されていれば、ポケット２４に挿入した指がポケット２４の下端部で引っ掛かって、ポケット２４に指を入れた状態でおむつを取り扱いやすくなる。例えば使い捨てパンツ型おむつ１Ｂでは、ポケット２４に指を挿入して左右フラップ２１，２２を持ち上げたりパンツ本体２の前腹部Ｐに押し付けたりすることが容易になる。封止部は、ポケット２４の開口縁２５に沿って、ポケット２４を構成するシート部材どうしを、接着剤、熱融着、超音波融着等の接合手段により接合して形成すればよい。
【００５３】
ポケット２４の開口入口が開口縁２５に沿って封止される長さは特に限定されないが、例えば、１０ｍｍ以上が好ましく、１５ｍｍ以上がより好ましく、また８０ｍｍ以下が好ましく、６０ｍｍ以下がより好ましい。なお、開口入口の下端側が封止される場合は、開口入口の封止された部分の長さは、上記に説明した開口入口の幅の長さに含まれない。
【００５４】
ポケット２４は、開口縁２５から内側または外側に折り返されて延在する折り返し縁部２６を有することが好ましい。ポケット２４に折り返し縁部２６が設けられていれば、ポケット２４の開口縁２５での剛性が高まって、ポケット２４に指を挿入しやすくなり、またポケットに指を挿入した状態でおむつを取り扱いやすくなる。
【００５５】
ポケット２４の内面には、おむつの外部に連通する通気孔が形成されていることが好ましい。ポケット２４の内面に通気孔が形成されていれば、おむつの上からズボン等の衣類を着用した際に、ポケット２４の開口入口が圧迫されて閉じてしまっても、ポケット２４内部に溜まった空気が通気孔から排出され、ズボン等の衣類を着用した際の着用感や見た目が向上する。なお、通気孔はポケット２４の開口入口とは別に設けられる開口である。
【００５６】
通気孔は、おむつの外部に連通する限り、ポケット２４の内面のいずれの場所に設けられてもよい。なお通気孔は、ポケット２４の開口入口から離れて設けられることが好ましく、ポケット２４のおむつ幅方向の内方側（使い捨てパンツ型おむつ１Ｂでは、左右フラップ２１，２２の自由端Ｔ側）に設けられることがより好ましい。図８では、通気孔２７が、ポケット２４の、左右フラップ２１，２２のおむつ幅方向の内方側（自由端Ｔ側）の上端と下端に設けられている。
【００５７】
通気孔は、ポケット２４内部の空気を排出できる限り、その大きさは特に限定されない。なお通気孔は、開口入口よりも小さい大きさで設けられることが好ましい。通気孔は、例えば、１ｍｍ以上の径を有することが好ましく、前記径は３ｍｍ以上がより好ましく、また３０ｍｍ以下が好ましく、２５ｍｍ以下がより好ましい。なお、通気孔の径はポケット２４を平面状態にして測定され、その状態での通気孔の最大長を意味する。
【００５８】
ポケット２４は、左右フラップ２１，２２のポケット２４以外の部分と異なる色で示されていることが好ましい。例えば、使い捨ておむつは一般に白色で構成されるため、ポケット２４は白色以外に着色されていることが好ましい。このようにポケット２４がそれ以外の部分と異なる色で示されていれば、視力の弱い高齢者等でもポケット２４を容易に認識することができ、おむつの取り扱い性が向上する。図１〜図３に示した使い捨てパンツ型おむつ１Ａでは、ポケット１４が、パンツ本体２のポケット１４以外の部分と異なる色で示されていることが好ましい。
【００５９】
使い捨てパンツ型おむつ１Ｂにおいて、左右フラップ２１，２２の外側面に設けられるポケット２４は、図１０に示すように構成されていてもよい。図１０には、図８とは異なる構成のポケットが備えられた左右フラップが示されている。なお、図１０に関する説明において、図８および図９に関する説明と重複する部分の説明を省略する。
【００６０】
図１０（ａ）では、左右フラップ２１，２２にそれぞれ、上下に並んでポケット２４（ポケットの開口入口）が複数設けられている。この場合、例えば、左フラップ２１に対しては上側（または下側）のポケット２４に着用者の左手の指を挿入し、右フラップ２２に下側（または上側）のポケット２４に着用者の右手の指を挿入することで、左フラップ２１と右フラップ２２を互いに重ね合わせて左右フラップ２１，２２を止着する際、左右フラップ２１，２２の両方をパンツ本体２の前腹部Ｐ側に押し当てやすくなり、留め具２３により左右フラップ２１，２２を前腹部Ｐ側で強固に止着しやすくなる。また、左右フラップ２１，２２を前腹部Ｐ側で止着した後、ポケット２４から指を抜きやすくなる。左右フラップ２１，２２に上下に並んでポケット２４が複数設けられる場合、ポケット２４は上下に並んで２つ設けられることが好ましい。
【００６１】
図１０（ｂ）では、左フラップ２１に設けられたポケット２４と右フラップ２２に設けられたポケット２４の開口入口が、上下にずれて配されている。このようにポケット２４が設けられていても、図１０（ａ）に示した実施態様と同様の効果が得られる。
【００６２】
使い捨てパンツ型おむつには、弾性部材が適宜設けられることが好ましい。例えば使い捨てパンツ型おむつ１Ａでは、図１および図２に示すように、パンツ本体２の前腹部Ｐと後背部Ｑに、おむつ幅方向に延びる胴部弾性部材１６，１７が設けられることが好ましく、これにより着用者の腰周りでのフィット性を高めることができる。なお、前腹部Ｐに設けられる胴部弾性部材１６は、ポケット１４と重ならないように配されることが好ましく、このように胴部弾性部材１６が配されていれば、胴部弾性部材１６の収縮力によりポケット１４が歪みにくくなり、ポケット１４に指を挿入しやすくなる。
【００６３】
使い捨てパンツ型おむつ１Ｂでは、図４〜図６に示すように、少なくともパンツ本体２の後背部Ｑに、おむつ幅方向に延びる胴部弾性部材１７が設けられることが好ましい。後背部Ｑに胴部弾性部材１７が設けられていれば、パンツ本体２を装着し、左右フラップ２１，２２を引っ張りながら着用者の腰周りで締めることで、後背部Ｑに設けられた胴部弾性部材１７が伸張し、この状態で左右フラップ２１，２２を止着することにより、着用者の腰周り（胴周り）でのフィット性を効果的に高めることができる。さらに、パンツ本体２には、後背部Ｑに加えて前腹部Ｐにもおむつ幅方向に延びる胴部弾性部材１６が設けられていることが好ましく、これにより着用者の腰周り、特に前腹部でのフィット性をより高めることができる。
【００６４】
使い捨てパンツ型おむつ１Ｂは、後背部Ｑの伸展時収縮力が、前腹部Ｐの伸展時収縮力よりも大きくなるように形成されていることが好ましい。すなわち使い捨てパンツ型おむつ１Ｂは、パンツ本体２の後背部Ｑの伸展時収縮力が強く、前腹部Ｐの伸展時収縮力が弱くなるように構成されていることが好ましい。なお、伸展時収縮力の定義や測定方法については後述する。使い捨てパンツ型おむつ１Ｂを前腹部Ｐの収縮力が弱くなるように構成することにより、パンツ本体２のウェスト開口部３を大きく形成することができ、ウェスト開口部３に着用者の脚や胴を挿入しやすくなり、装着や脱着が容易となる。例えば、介護者が着用者に対しておむつをはかせたり脱がせたりする場合でも、おむつの装着や脱着が容易になる。一方、使い捨てパンツ型おむつ１Ｂは左右フラップ２１，２２が設けられているため、一旦パンツ本体２を装着すれば、左右フラップ２１，２２を引っ張りながら着用者の腰周りで締めることで、おむつのフィット性を高めることができる。このとき、パンツ本体２の後背部Ｑに比較的強い収縮力で胴部弾性部材１７が設けられていると、左右フラップ２１，２２を引っ張りながら着用者の腰周りで止着することにより、着用者の腰周り（胴周り）でのフィット性を効果的に高めることができる。
【００６５】
使い捨てパンツ型おむつ１Ｂでは、前腹部Ｐに設けられる胴部弾性部材１６が、おむつ幅方向に断続的に伸縮力が発現するように設けられることが好ましい。このように胴部弾性部材１６が設けられる態様としては、具体的には、胴部弾性部材１６がおむつ幅方向に断続的に前腹部Ｐに設けられる態様、あるいは、前腹部Ｐに設けられた胴部弾性部材１６の一部が切断されて部分的に伸縮力が発現しないように形成されている態様が挙げられる。図５や図６では、前腹部Ｐの胴部弾性部材１６が前腹部Ｐのおむつ幅方向に対する中央部に設けられず、その両側に設けられている。前腹部Ｐに胴部弾性部材１６がおむつ幅方向に断続的に伸縮力が発現するように設けられていれば、前腹部Ｐの伸縮力が発現しない部分でパンツ本体２のウェスト開口縁が緩んで、ウェスト開口部３に着用者の脚や胴を挿入しやすくなる。また、前腹部Ｐの中央部に胴部弾性部材１６が設けられていなければ、胴部弾性部材１６の収縮力により吸収性コア６が歪みにくくなり、おむつの着用感が向上する。
【００６６】
胴部弾性部材１６，１７はおむつ前後方向に並んで複数本配されることが好ましい。このように胴部弾性部材１６，１７が配されることにより、着用者の腰周りでのフィット性をより高めることができる。さらに胴部弾性部材１６，１７は、ウェスト開口縁の近傍で、ウェスト開口縁から離れた部分よりも、隣接する弾性部材との間隔が狭くなるように配されることが好ましい。このように胴部弾性部材１６，１７が配されることで、使い捨てパンツ型おむつ１がウェスト開口縁できつく締められ、おむつが着用者の腰周りで下方にずれにくくなる。
【００６７】
胴部弾性部材１６，１７は吸収性コア６と重ならないように配されることが好ましい。このように胴部弾性部材１６，１７が配されていれば、胴部弾性部材１６，１７の収縮力により吸収性コア６が歪みにくくなる。
【００６８】
胴部弾性部材１６，１７は、２枚のシート部材間に配されることが好ましい。使い捨てパンツ型おむつ１Ａ，１Ｂでは、前側帯状部材９と後側帯状部材１０がそれぞれ２枚のシート部材が重ねられて構成され、２枚のシート部材間に胴部弾性部材１６，１７が配されていることが好ましい。
【００６９】
使い捨てパンツ型おむつ１Ｂでは、左右フラップ２１，２２に、おむつ幅方向に延びるフラップ弾性部材２８が設けられていることが好ましい。左右フラップ２１，２２にフラップ弾性部材２８が設けられていれば、おむつを装着する際、左右フラップ２１，２２を引っ張りながら左右フラップ２１，２２を留め具２３でパンツ本体２の前腹部Ｐ等に止着することにより、着用者の腰周りでのフィット性を高めやすくなる。
【００７０】
左右フラップ２１，２２にフラップ弾性部材２８が設けられる場合、左右フラップ２１，２２の伸展時収縮力は、前腹部Ｐの伸展時収縮力よりも大きくなるように形成されていることが好ましい。このように左右フラップ２１，２２を構成することにより、おむつを着用した際の着用者の腰周りでのフィット性をより高めることができる。より好ましくは、左右フラップ２１，２２の伸展時収縮力は、後背部Ｑの伸展時収縮力よりも大きくなるように形成されている。
【００７１】
左右フラップ２１，２２には、フラップ弾性部材２８がおむつ前後方向に並んで複数本配されることが好ましい。このようにフラップ弾性部材２８が配されることにより、着用者の腰周りでのフィット性をより高めることができる。さらにフラップ弾性部材２８は、左右フラップ２１，２２のおむつ前後方向に対する中央部よりも両端部で、隣接する弾性部材との間隔が狭くなるように配されることが好ましい。このようにフラップ弾性部材２８が配されていれば、おむつを装着する際に左右フラップ２１，２２を引っ張ると、左右フラップ２１，２２のおむつ前後方向に対する中央部がより伸長しやすくなる。その結果、左右フラップ２１，２２を引っ張って、パンツ本体２の前腹部Ｐ等に止着しやすくなる。
【００７２】
フラップ弾性部材２８はポケット２４と重ならないように配されることが好ましく、その結果、ポケット２４がフラップ弾性部材２８の収縮力により歪みにくくなり、ポケット２４の取り扱い性が向上する。
【００７３】
フラップ弾性部材２８は、２枚のシート部材間に配されることが好ましい。使い捨てパンツ型おむつ１Ｂでは、左右フラップ２１，２２がそれぞれ２枚のシート部材が重ねられて構成され、２枚のシート部材間にフラップ弾性部材２８が配されていることが好ましい。
【００７４】
本発明において、前腹部の伸展時収縮力とは、前腹部を、前腹部を構成するシート部材の長さまでおむつ幅方向に伸展させたときの収縮力を意味する。前腹部に弾性部材が設けられる場合、弾性部材が設けられた前腹部の伸展時収縮力は、次のようにして求めることができる。まず、使い捨てパンツ型おむつから前腹部を切り出し、前腹部から弾性部材を取り除いたときの前腹部を構成するシート部材の長さ（Ｌ）を測る。次に、これとは別に弾性部材が設けられたままの前腹部を用意し、これを長さＬになるまで弾性部材を伸長させながら前腹部を伸展させて、このときの収縮力（伸長応力）を求めることで、伸展時収縮力を得る。前腹部に弾性部材が設けられない場合は、前腹部の伸展時収縮力は実質的に０となる。伸展時収縮力は、引張試験機を用いて測定すればよい。後背部と左右フラップの伸展時収縮力も同様にして求めることができる。
【００７５】
本発明の使い捨てパンツ型おむつを構成する材料について説明する。トップシートは、使い捨てパンツ型おむつの着用の際に着用者側に位置するシートであり、液透過性であることが好ましい。トップシートとしては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルム等を用いてもよい。
【００７６】
バックシートは、使い捨てパンツ型おむつの着用の際に着用者とは反対側、すなわち外側に位置するシートであり、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。本発明において、液不透過性とは撥水性の意味も含まれる。
【００７７】
前側帯状部材、後側帯状部材、左右フラップ、外装シートは、液透過性であっても液不透過性であってもよく、トップシートやバックシートに使用可能なシート材料を用いることができる。前側帯状部材、後側帯状部材、左右フラップ、外装シートは、内側シートに外側シートが積層されて形成されることが好ましく、液透過性の内側シートに液不透過性の外側シートが積層されて形成されることがより好ましい。
【００７８】
上記説明した各シート材料として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００７９】
吸収性コアは、尿等の排泄物を吸収できる吸収性材料を含むものであれば特に限定されない。吸収性コアとしては、例えば、吸収性材料を所定形状に成形した成形体を用いたり、あるいは吸収性材料を紙シート（例えば、ティッシュペーパーや薄葉紙）や液透過性不織布等のシート部材で覆ったものを用いることができる。吸収性コアに含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等の体液との親和性を高めるために、界面活性剤等により親水化処理がされていてもよい。
【００８０】
吸収性材料は、尿等の吸収速度を高める点から、親水性繊維を含むことが好ましい。また、吸収容量を高める点からは、吸収性材料は吸水性樹脂を含むことが好ましい。吸収性材料は、例えば、親水性繊維の集合体に吸水性樹脂を混合または散布したものを用いることが好ましい。
【符号の説明】
【００８１】
１，１Ａ，１Ｂ：  使い捨てパンツ型おむつ
２：  パンツ本体
３：  ウェスト開口部
４：  脚開口部
６：  吸収性コア
１４，２４：  ポケット
１５，２５：  開口縁
１６，１７：  胴部弾性部材
２１：  左フラップ
２２：  右フラップ
２３：  留め具
２６：  折り返し縁部
２７：  通気孔
２８：  フラップ弾性部材
Ｐ：  前腹部
Ｑ：  後背部
Ｒ：  股部
【図１】
2014104291.tif 000003
【図２】
2014104291.tif 000004
【図３】
2014104291.tif 000005
【図４】
2014104291.tif 000006
【図５】
2014104291.tif 000007
【図６】
2014104291.tif 000008
【図７】
2014104291.tif 000009
【図８】
2014104291.tif 000010
【図９】
2014104291.tif 000011
【図１０】
2014104291.tif 000012